(57)【要約】【課題】映像再生装置、及びこの映像再生装置と補聴器とを備えた字幕映像再生システムにおいて、聴覚障害者が字幕を表示するのに要する手間を省き、しかも健常者のみが映像を視聴する場合に、目障りな字幕が表示されないようにする。【解決手段】補聴器に無線信号を送信する無線信号送受信機を設けたことにより、補聴器を付けた聴覚障害者がＴＶ受像機に近づくと、ＴＶ受像機は、補聴器から送信された無線信号に基づき（Ｓ４）、映像の視聴者が聴覚障害者であることを認識して、聴覚障害者用字幕映像又は優先言語字幕映像の再生信号を自動的に再生する（Ｓ８、Ｓ９）ので、聴覚障害者が字幕を表示するのに要する手間を省くことができる。しかも、健常者のみが映像を視聴する場合には、補聴器を付けていない健常者がＴＶ受像機に近づいても、ＴＶ受像機は、通常映像再生信号を再生するので、健常者にとって目障りな字幕が表示されない。【選択図】図４
2012124867.tif 000002
【特許請求の範囲】
【請求項１】
放送信号に含まれる字幕情報と映像情報とに基づいて、映像に字幕を重畳させた字幕映像の再生信号である字幕映像再生信号を再生可能な映像再生装置と、周囲の音声を集音して、集音した音声を増幅して出力する補聴器とを備えた字幕映像再生システムにおいて、
前記補聴器は、該補聴器からの無線信号である補聴器無線信号を送信する補聴器無線信号送信手段を備え、
前記映像再生装置は、
前記補聴器から送信された補聴器無線信号を受信する補聴器無線信号受信手段と、
前記補聴器無線信号受信手段により前記補聴器無線信号を受信しているときは、前記字幕映像再生信号を再生し、前記補聴器無線信号受信手段により前記補聴器無線信号を受信していないときは、放送信号に含まれる映像情報に基づいて、字幕を含まない映像の再生信号である通常映像再生信号を再生するように制御する映像再生制御手段とを備えたことを特徴とする字幕映像再生システム。
【請求項２】
前記映像再生装置は、該映像再生装置からの無線信号である再生装置無線信号を送信する再生装置無線信号送信手段をさらに備え、
前記補聴器は、前記映像再生装置から送信された再生装置無線信号を受信する再生装置無線信号受信手段をさらに備え、この再生装置無線信号受信手段により前記再生装置無線信号を受信したときに、前記補聴器無線信号送信手段により前記補聴器無線信号を送信することを特徴とする請求項１に記載の字幕映像再生システム。
【請求項３】
前記映像再生制御手段は、前記補聴器無線信号受信手段により前記補聴器無線信号を受信しているときは、放送信号に含まれる聴覚障害者用の字幕情報と映像情報とに基づいて、映像に聴覚障害者用の字幕を重畳させた聴覚障害者用字幕映像の再生信号である聴覚障害者用字幕映像再生信号を再生するように制御することを特徴とする請求項１又は請求項２に記載の字幕映像再生システム。
【請求項４】
放送信号に含まれる字幕情報と映像情報とに基づいて、映像に字幕を重畳させた字幕映像の再生信号である字幕映像再生信号を再生可能な映像再生装置において、
補聴器からの無線信号である補聴器無線信号を受信する補聴器無線信号受信手段と、
前記補聴器無線信号受信手段により前記補聴器無線信号を受信しているときは、前記字幕映像再生信号を再生し、前記補聴器無線信号受信手段により前記補聴器無線信号を受信していないときは、放送信号に含まれる映像情報に基づいて、字幕を含まない映像の再生信号である通常映像再生信号を再生するように制御する映像再生制御手段とを備えたことを特徴とする映像再生装置。
【請求項５】
前記映像再生制御手段は、前記補聴器無線信号受信手段により前記補聴器無線信号を受信しているときは、放送信号に含まれる聴覚障害者用の字幕情報と映像情報とに基づいて、映像に聴覚障害者用の字幕を重畳させた聴覚障害者用字幕映像の再生信号である聴覚障害者用字幕映像再生信号を再生するように制御することを特徴とする請求項４に記載の映像再生装置。
【発明の詳細な説明】
【技術分野】
【０００１】
本発明は、映像に字幕を重畳させた字幕映像の再生信号である字幕映像再生信号を再生可能な映像再生装置、及びこの映像再生装置と補聴器とを備えた字幕映像再生システムに関する。
【背景技術】
【０００２】
従来から、テレビジョン受像機（以下、ＴＶ受像機という）、ハードディスクレコーダ、ＤＶＤプレーヤ、ＤＶＤレコーダ、ＢＤプレーヤ、ＢＤレコーダ等の映像再生装置において、受信又は記録した放送信号に含まれる聴覚障害者用の字幕情報と映像情報とに基づいて、映像に聴覚障害者用の字幕を重畳させた聴覚障害者用字幕映像の再生信号である聴覚障害者用字幕映像再生信号を再生可能なものがある。ここで、聴覚障害者用の字幕情報とは、ヨーロッパのディジタルテレビ放送の規格であるＤＶＢ（Ｄｉｇｉｔａｌ  Ｖｉｄｅｏ  Ｂｒｏａｄｃａｓｔｉｎｇ）規格にあるような聴覚障害者専用の字幕（通常の会話の字幕だけではなく、場面の様子を表す擬声語や擬態語を含む字幕）を表示するための情報を意味する。
【０００３】
ところが、上記従来の聴覚障害者用字幕映像の再生信号を再生可能な映像再生装置は、その時点で映像再生装置により再生されている映像再生信号に基づく映像の視聴者が聴覚障害者であるか否かを自動的に認識することができないので、聴覚障害者は、自分が映像再生装置により再生されている映像再生信号に基づく映像を視聴する度に毎回、映像再生装置の設定画面で、映像に聴覚障害者用の字幕を重畳させるように設定する必要がある。このため、聴覚障害者が聴覚障害者用の字幕を表示するのに手間がかかるという問題があった。
【０００４】
そこで、この種の映像再生装置において、ディジタル放送信号に聴覚障害者用の字幕情報が含まれているか否かを検証し、字幕情報が含まれている場合には、通常の映像と共に、聴覚障害者用の字幕を表示部に表示し、スピーカを音声出力停止状態にするように制御するものが知られている（例えば、特許文献１参照）。しかしながら、この映像再生装置では、聴覚障害者が字幕を表示するのに要する手間を省くことはできるが、健常者のみが映像を視聴する時でも、目障りな聴覚障害者用の字幕が表示されてしまい、しかも、スピーカからの音声が出力停止状態になってしまう。
【先行技術文献】
【特許文献】
【０００５】
【特許文献１】特開２０１０−２０００８５号公報
【発明の概要】
【発明が解決しようとする課題】
【０００６】
本発明は、上記課題を解決するものであり、聴覚障害者が字幕を表示するのに要する手間を省くことができ、しかも、健常者のみが映像を視聴する場合に、目障りな字幕が表示されないようにすることが可能な映像再生装置、及びこの映像再生装置と補聴器とを備えた字幕映像再生システムを提供することを目的とする。
【課題を解決するための手段】
【０００７】
上記課題を解決するために、請求項1の発明は、放送信号に含まれる字幕情報と映像情報とに基づいて、映像に字幕を重畳させた字幕映像の再生信号である字幕映像再生信号を再生可能な映像再生装置と、周囲の音声を集音して、集音した音声を増幅して出力する補聴器とを備えた字幕映像再生システムにおいて、前記補聴器は、該補聴器からの無線信号である補聴器無線信号を送信する補聴器無線信号送信手段を備え、前記映像再生装置は、前記補聴器から送信された補聴器無線信号を受信する補聴器無線信号受信手段と、前記補聴器無線信号受信手段により前記補聴器無線信号を受信しているときは、前記字幕映像再生信号を再生し、前記補聴器無線信号受信手段により前記補聴器無線信号を受信していないときは、放送信号に含まれる映像情報に基づいて、字幕を含まない映像の再生信号である通常映像再生信号を再生するように制御する映像再生制御手段とを備えたものである。
【０００８】
請求項２の発明は、請求項１に記載の字幕映像再生システムにおいて、前記映像再生装置は、該映像再生装置からの無線信号である再生装置無線信号を送信する再生装置無線信号送信手段をさらに備え、前記補聴器は、前記映像再生装置から送信された再生装置無線信号を受信する再生装置無線信号受信手段をさらに備え、この再生装置無線信号受信手段により前記再生装置無線信号を受信したときに、前記補聴器無線信号送信手段により前記補聴器無線信号を送信するものである。
【０００９】
請求項３の発明は、請求項１又は請求項２に記載の字幕映像再生システムにおいて、前記映像再生制御手段は、前記補聴器無線信号受信手段により前記補聴器無線信号を受信しているときは、放送信号に含まれる聴覚障害者用の字幕情報と映像情報とに基づいて、映像に聴覚障害者用の字幕を重畳させた聴覚障害者用字幕映像の再生信号である聴覚障害者用字幕映像再生信号を再生するように制御するものである。
【００１０】
請求項４の発明は、放送信号に含まれる字幕情報と映像情報とに基づいて、映像に字幕を重畳させた字幕映像の再生信号である字幕映像再生信号を再生可能な映像再生装置において、補聴器からの無線信号である補聴器無線信号を受信する補聴器無線信号受信手段と、前記補聴器無線信号受信手段により前記補聴器無線信号を受信しているときは、前記字幕映像再生信号を再生し、前記補聴器無線信号受信手段により前記補聴器無線信号を受信していないときは、放送信号に含まれる映像情報に基づいて、字幕を含まない映像の再生信号である通常映像再生信号を再生するように制御する映像再生制御手段とを備えたものである。
【００１１】
請求項５の発明は、前記映像再生制御手段は、前記補聴器無線信号受信手段により前記補聴器無線信号を受信しているときは、放送信号に含まれる聴覚障害者用の字幕情報と映像情報とに基づいて、映像に聴覚障害者用の字幕を重畳させた聴覚障害者用字幕映像の再生信号である聴覚障害者用字幕映像再生信号を再生するように制御するものである。
【発明の効果】
【００１２】
請求項１の発明によれば、補聴器を付けた聴覚障害者が映像再生装置に近づくと、映像再生装置は、補聴器から送信された補聴器無線信号に基づき、映像の視聴者が聴覚障害者であることを認識して、字幕映像再生信号を自動的に再生するので、聴覚障害者が字幕を表示するのに要する手間を省くことができる。しかも、健常者のみが映像を視聴する場合には、補聴器を付けていない健常者が映像再生装置に近づいても、映像再生装置は、字幕映像再生信号ではなく、通常映像再生信号を再生するので、健常者にとって目障りな字幕が表示されないようにすることができる。
【００１３】
請求項２の発明によれば、補聴器が映像再生装置から送信された再生装置無線信号を受信したときに、補聴器無線信号を送信するようにしたので、補聴器が補聴器無線信号を送信する回数を減らして、補聴器が補聴器無線信号を送信するのに要する電力を削減することができる。
【００１４】
請求項３の発明によれば、映像再生装置は、補聴器無線信号を受信しているときは、映像に聴覚障害者用の字幕を重畳させた聴覚障害者用字幕映像の再生信号である聴覚障害者用字幕映像再生信号を自動的に再生するので、聴覚障害者が聴覚障害者用の字幕を表示するのに要する手間を省くことができる。しかも、健常者のみが映像を視聴する場合には、補聴器を付けていない健常者が映像再生装置に近づいても、映像再生装置は、聴覚障害者用字幕映像再生信号ではなく、通常映像再生信号を再生するので、健常者にとって目障りな聴覚障害者用の字幕が表示されないようにすることができる。
【００１５】
請求項４の発明によれば、上記請求項１と同様の効果を得ることができる。
【００１６】
請求項５の発明によれば、上記請求項３と同様の効果を得ることができる。
【図面の簡単な説明】
【００１７】
【図１】本発明の一実施形態に係る字幕映像再生システムを構成するＴＶ受像機と補聴器の前面図。
【図２】図１中のＴＶ受像機の電気的ブロック構成図。
【図３】図１中の補聴器の電気的ブロック構成図。
【図４】上記字幕映像再生システムにおける映像再生制御処理のフローチャート。
【発明を実施するための形態】
【００１８】
以下、本発明の一実施形態について、図面を参照して説明する。以下の実施形態では、本発明をディジタルテレビジョン受像機（以下、ＴＶ受像機という）と補聴器とを備えた字幕映像再生システムに適用した場合の例について説明する。なお、以下に記載した実施形態は、本発明を網羅するものではなく、本発明は、下記の形態だけに限定されない。
【００１９】
図１は、本実施形態による字幕映像再生システムを示す。字幕映像再生システム１は、映像再生装置であるＴＶ受像機２と補聴器３とを備えている。ＴＶ受像機２は、放送信号に含まれる字幕情報と映像情報とに基づいて、映像に聴覚障害者用の字幕を重畳させた聴覚障害者用字幕映像の再生信号や、映像に優先言語の字幕を重畳させた優先言語字幕映像の再生信号を再生可能である。ＴＶ受像機２は、リモコン（図２参照）から送信された無線信号や、補聴器３から送信された無線信号（補聴器無線信号）を受信すると共に、補聴器３に対して無線信号（再生装置無線信号）を送信する無線信号送受信機４（補聴器無線信号受信手段、再生装置無線信号送信手段）を備えている。また、ＴＶ受像機２は、映像に聴覚障害者用の字幕を重畳させた聴覚障害者用字幕映像や、映像に優先言語の字幕を重畳させた優先言語字幕映像や、字幕を含まない通常映像等の映像を表示するためのモニタ５と、放送信号に含まれる音声情報に基づく音声を出力するスピーカ６と、装置本体の前面パネルに設けられた、複数の操作キーを有する操作部７とを有している。
【００２０】
上記の補聴器３は、周囲の音声を集音して、集音した音声を増幅して出力する。補聴器３は、ＴＶ受像機２から送信された無線信号（再生装置無線信号）を受信すると共に、ＴＶ受像機２に対して無線信号（補聴器無線信号）を送信する無線信号送受信機８（再生装置無線信号受信手段、補聴器無線信号送信手段）を備えている。
【００２１】
図２は、上記のＴＶ受像機２の電気的ブロック構成を示す。ＴＶ受像機２は、上記の無線信号送受信機４、モニタ５、スピーカ６及び操作部７に加えて、映像再生の制御を含む、装置全体の制御を行うＣＰＵ１０（映像再生制御手段）を備えている。また、ＴＶ受像機２は、アンテナ３０を介してディジタルテレビジョン放送信号（トランスポートストリーム）を受信するためのチューナ１１と、チューナ１１で受信したトランスポートストリーム中のパケットをデコードすることにより、映像ストリーム、音声ストリーム、データストリームを生成するＭＰＥＧデコーダ１２と、ＭＰＥＧデコーダ１２で生成された映像ストリームに対して画像処理等の各種の処理を施して、これらの処理後の映像ストリームに基づく映像信号を再生する映像処理回路１３と、この映像処理回路１３により再生された映像信号に、聴覚障害者用の字幕を含む文字等のＯＳＤ（オンスクリーンディスプレイ）データの信号を重畳させるＯＳＤ部１４と、ＭＰＥＧデコーダ１２で生成されたデータストリームに含まれる種々のデータ（聴覚障害者用の字幕データを含む）を抽出するデータ処理回路１５とを備えている。上記のモニタ５は、ＯＳＤ部１４から出力された映像信号に基づき、上記の聴覚障害者用字幕映像や、字幕映像や、通常映像等の映像を表示する。
【００２２】
また、ＴＶ受像機２は、ＭＰＥＧデコーダ１２で生成された音声ストリームに対して音声処理等の各種の処理を施して、これらの処理後の音声ストリームに基づく音声信号の再生と増幅処理とを行った後、これらの処理後のディジタル形式の音声信号をＤ／Ａ変換してスピーカ１８の駆動信号として出力する音声処理回路１６を備えている。
【００２３】
さらにまた、ＴＶ受像機２は、制御用のプログラムや、優先言語設定等の設定データを含む各種データを記憶するためのメモリ１７と、複数の操作キーを有し、ＴＶ受像機２の本体に対して各種の指示操作を行うためのリモコン（リモートコントローラ）２１とを有している。ここで、優先言語とは、ヨーロッパのように、英語、ドイツ語、フランス語といった多種の言語のテレビジョン放送が放送されている場合に、これらの言語の中で最優先して使用する言語のことを言う。例えば、ドイツにおいては、通常、ＴＶ受像機２における優先言語の設定は、ドイツ語になっている。
【００２４】
図３は、上記図１中の補聴器３の電気的ブロック構成を示す。補聴器３は、上記の無線信号送受信機８に加えて、装置全体の制御を行うＣＰＵ３０を有している。また、補聴器３は、周囲の音声を入力するためのマイクロフォン３１と、マイクロフォン３１から入力されたアナログ形式の音声信号をディジタル形式の音声信号に変換して、変換後の音声信号からノイズ成分を除去するＤＳＰ（Digital Signal Processor）３２と、ＤＳＰ３２から入力されたノイズ成分除去処理後の音声信号を増幅するアンプ３３と、アンプ３３から入力されたディジタル形式の音声信号をアナログ形式の音声信号に変換するＤ／Ａコンバータ３４と、Ｄ／Ａコンバータ３４から入力された音声信号により駆動されて音声を出力するレシーバ３５とを備えている。さらにまた、補聴器３は、制御用のプログラムや各種データを記憶するためのメモリ３６を備えている。
【００２５】
図４のフローチャートは、本字幕映像再生システム１における映像再生制御処理を示す。装置が起動されると、ＴＶ受像機２側のＣＰＵ１０は、その時点で放送されているコンテンツが聴覚障害者用の字幕データ又は優先言語の字幕データを含むか否か（聴覚障害者用の字幕情報又は優先言語の字幕情報が放送信号に含まれているか否か）を判定して、聴覚障害者用又は優先言語の字幕データを含む場合には（Ｓ１でＹＥＳ）、ＴＶ受像機２の存在を知らせる無線信号（請求項における再生装置無線信号）を無線信号送受信機４により送信する（Ｓ２）。補聴器３側のＣＰＵ３０は、無線信号送受信機８でＴＶ受像機２からの無線信号を受信することによりＴＶ受像機２の存在を認識すると（Ｓ３でＹＥＳ）、無線信号送受信機８により補聴器３の存在を知らせる無線信号（請求項における補聴器無線信号）を送信する（Ｓ４）。
【００２６】
ＴＶ受像機２側のＣＰＵ１０は、無線信号送受信機４で補聴器３からの無線信号を受信することにより補聴器３の存在を認識すると（補聴器３を付けた聴覚障害者がＴＶ受像機２に近づいたことを検知すると）（Ｓ５でＹＥＳ）、映像の視聴者が聴覚障害者であることを認識して、その時点で放送されているコンテンツが聴覚障害者用の字幕データを含むか否か（聴覚障害者用の字幕情報が放送信号に含まれるか否か）を判定する。そして、聴覚障害者用の字幕データを含む場合には（Ｓ７でＹＥＳ）、ＴＶ受像機２側のＣＰＵ１０は、放送されているコンテンツに含まれる映像ストリームと聴覚障害者用の字幕データと（放送信号に含まれる聴覚障害者用の字幕情報と映像情報と）に基づいて、映像に聴覚障害者用の字幕を重畳させた聴覚障害者用字幕映像の再生信号（聴覚障害者用字幕映像再生信号）を、ＭＰＥＧデコーダ１２、映像処理回路１３、データ処理回路１５、及びＯＳＤ部１４を用いて再生して、この再生信号に基づき、聴覚障害者用字幕映像をモニタ５に表示する（Ｓ８）。
【００２７】
上記Ｓ７において、その時点で放送されているコンテンツが聴覚障害者用の字幕データを含まない場合には（Ｓ７でＮＯ）、ＴＶ受像機２側のＣＰＵ１０は、放送されているコンテンツに含まれる映像ストリームと優先言語の字幕データと（放送信号に含まれる優先言語の字幕情報と映像情報と）に基づいて、映像に優先言語の字幕を重畳させた優先言語字幕映像の再生信号を、ＭＰＥＧデコーダ１２、映像処理回路１３、データ処理回路１５、及びＯＳＤ部１４を用いて再生して、この再生信号に基づき、優先言語字幕映像をモニタ５に表示する（Ｓ９）。
【００２８】
また、ＴＶ受像機２側のＣＰＵ１０は、上記Ｓ１の判定において、その時点で放送されているコンテンツが聴覚障害者用の字幕データも優先言語の字幕データも含まない場合（Ｓ１でＮＯ）や、上記Ｓ５の判定において、無線信号送受信機４で補聴器３からの無線信号を受信することができず、補聴器３の存在を認識することができない場合には（補聴器３を付けた聴覚障害者がＴＶ受像機２に近づいたことを検知できない場合には）（Ｓ５でＮＯ）、健常者のみが映像を視聴していると認識する。そして、ＣＰＵ１０は、放送されているコンテンツに含まれる映像ストリーム（放送信号に含まれる映像情報）に基づいて、通常映像再生信号を、ＭＰＥＧデコーダ１２及び映像処理回路１３を用いて再生して、この再生信号に基づき、通常映像をモニタ５に表示する（Ｓ６）。
【００２９】
上記のように、本実施形態の字幕映像再生システム１及びＴＶ受像機２によれば、補聴器３を付けた聴覚障害者がＴＶ受像機２に近づくと、ＴＶ受像機２は、補聴器３から送信された無線信号に基づき、映像の視聴者が聴覚障害者であることを認識して、聴覚障害者用字幕映像又は優先言語字幕映像の再生信号を自動的に再生するので、聴覚障害者が字幕を表示するのに要する手間を省くことができる。しかも、健常者のみが映像を視聴する場合には、補聴器３を付けていない健常者がＴＶ受像機２に近づいても、ＴＶ受像機２は、聴覚障害者用字幕映像又は優先言語字幕映像の再生信号ではなく、通常映像再生信号を再生するので、健常者にとって目障りな字幕が表示されないようにすることができる。
【００３０】
また、本実施形態の字幕映像再生システム１及びＴＶ受像機２によれば、補聴器３がＴＶ受像機２から送信された（ＴＶ受像機２の存在を知らせる）無線信号を受信したときに、ＴＶ受像機２に（補聴器３の存在を知らせる）無線信号を送信するようにしたので、補聴器３が無線信号を送信する回数を減らして、補聴器３が無線信号を送信するのに要する電力を削減することができる。
【００３１】
なお、本発明は、上記実施形態の構成に限られず、発明の趣旨を変更しない範囲で種々の変形が可能である。例えば、上記実施形態では、本発明の映像再生装置がＴＶ受像機２である場合の例を示したが、本発明の映像再生装置は、これに限られず、例えば、ハードディスクレコーダ、ＤＶＤ（Ｄｉｇｉｔａｌ  Ｖｅｒｓａｔｉｌｅ  Ｄｉｓｃ）プレーヤ、ＤＶＤレコーダ、ＢＤ（Ｂｌｕ−ｒａｙ  Ｄｉｓｃ）プレーヤ、ＢＤレコーダ等の映像再生信号を再生可能な装置であればよい。このように、本発明の映像再生装置が、ハードディスク、ＤＶＤ、ＢＤ等の記録媒体に記録された信号を再生する装置である場合には、記録媒体に記録された放送信号に含まれる聴覚障害者用の字幕情報と映像情報とに基づいて、聴覚障害者用字幕映像再生信号を再生する。
【００３２】
また、上記実施形態では、その時点で放送されているコンテンツが聴覚障害者用の字幕データを含まない場合に、このコンテンツが優先言語の字幕データを含んでいるときには、優先言語字幕映像の再生信号を再生するようにしたが、その時点で放送されているコンテンツが聴覚障害者用の字幕データを含まない場合には、無条件に通常映像の再生信号を再生するようにしてもよい。また、その時点で放送されているコンテンツが聴覚障害者用の字幕データを含まない場合に、このコンテンツが何らかの言語の字幕データを含んでいるときには、これらの言語のうちのいずれかの言語の字幕映像の再生信号を再生するようにしてもよい。
【符号の説明】
【００３３】
１    字幕映像再生システム
２    ＴＶ受像機（映像再生装置）
３    補聴器
４    無線信号送受信機（補聴器無線信号受信手段、再生装置無線信号送信手段）
８    無線信号送受信機（再生装置無線信号受信手段、補聴器無線信号送信手段）
１０  ＣＰＵ（映像再生制御手段）
【図１】
2012124867.tif 000003
【図２】
2012124867.tif 000004
【図３】
2012124867.tif 000005
【図４】
2012124867.tif 000006